(57)【要約】【課題】冷却風の流通経路を隔離することができる回転工具を提供する。【解決手段】筒状の出力部１２と、この出力部１２の下部に前記出力部１２と略直交する方向に延びるグリップ部１３と、を備えた回転工具１０において、前記出力部１２には、モータ１５と、前記モータ１５と同軸上に配置された冷却ファン１７と、を収容し、前記グリップ部１３には、前記モータ１５を作動させるためのトリガスイッチ３０を収容し、前記トリガスイッチ３０の外壁面３１ａと前記グリップ部１３のハウジング内壁面１１ａとの間に弾性部材３３を設けた。【選択図】図２
2013094911.tif 000002
【特許請求の範囲】
【請求項１】
筒状の出力部と、この出力部の下部に前記出力部と略直交する方向に延びるグリップ部と、を備えた回転工具であって、
前記出力部には、モータと、前記モータと同軸上に配置された冷却ファンと、が収容され、
前記グリップ部には、前記モータを作動させるためのトリガスイッチが収容され、
前記トリガスイッチの外壁面と前記グリップ部のハウジング内壁面との間に弾性部材を設けたことを特徴とする、回転工具。
【請求項２】
前記弾性部材はスポンジ部材であることを特徴とする、請求項１記載の回転工具。
【請求項３】
前記スポンジ部材は前記トリガスイッチの外周部に固定されていることを特徴とする、請求項２記載の回転工具。
【請求項４】
前記スポンジ部材によってハウジング内部の電線を前記トリガスイッチに固定したことを特徴とする、請求項３記載の回転工具。
【発明の詳細な説明】
【技術分野】
【０００１】
この発明は、インパクトドライバなどの回転工具に関するものである。
【背景技術】
【０００２】
従来、インパクトドライバなどの回転工具には冷却ファンが設けられている。この冷却ファンは、モータや制御基板を冷却するための冷却風を生成するものであり、ハウジングに設けられた吸気孔から外部の冷たい空気を吸い込み、この冷たい空気でモータや制御基板を冷却したのち、冷却に使用した空気をハウジングに設けられた排気孔より排気する（特許文献１参照）。
【先行技術文献】
【特許文献】
【０００３】
【特許文献１】特開２０１１−１４２８０１号公報
【発明の概要】
【発明が解決しようとする課題】
【０００４】
しかし、従来の回転工具では、モータや冷却ファンが配置された筒状の出力部がハウジング下部と連通しているため、冷却ファンが作動したときに吸気孔以外の場所から空気が吸い込まれるという問題があった。例えば、トリガスイッチとハウジングとの間にできた隙間などから空気が吸い込まれることがあった。
【０００５】
このように吸気孔以外の場所から空気が吸い込まれると、冷却効率が低下したり、冷却風の流通経路外に粉塵が蓄積するという問題があった。
【０００６】
そこで、本発明は、ハウジングの内部において冷却風の流通経路を隔離することができる回転工具を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の回転工具は、筒状の出力部と、この出力部の下部に前記出力部と略直交する方向に延びるグリップ部と、を備えた回転工具であって、前記出力部には、モータと、前記モータと同軸上に配置された冷却ファンと、が収容され、前記グリップ部には、前記モータを作動させるためのトリガスイッチが収容され、前記トリガスイッチの外壁面と前記グリップ部のハウジング内壁面との間に弾性部材を設けたことを特徴とする。
【００１０】
（請求項２）
請求項２に記載の発明は、上記した請求項１記載の発明の特徴点に加え、以下の点を特徴とする。
【００１１】
すなわち、前記弾性体はスポンジ部材であることを特徴とする。
【００１２】
（請求項３）
請求項３に記載の発明は、上記した請求項２記載の発明の特徴点に加え、以下の点を特徴とする。
【００１３】
すなわち、前記スポンジ部材は前記トリガスイッチの外周部に固定されていることを特徴とする。
【００１４】
（請求項４）
請求項４に記載の発明は、上記した請求項３記載の発明の特徴点に加え、以下の点を特徴とする。
【００１５】
すなわち、前記スポンジ部材によってハウジング内部の電線を前記スイッチ本体に固定したことを特徴とする。
【発明の効果】
【００１６】
請求項１に記載の発明は上記の通りであり、トリガスイッチの外壁面とグリップ部のハウジング内壁面との間に弾性部材を設けたので、この弾性部材によってハウジングの内部に出力部とグリップ部との間に隔壁が形成されている。このように隔壁が形成されていることによって、出力部側の冷却ファンが回転したときにグリップ部側から空気が吸い込まれず、吸気孔から正しく空気が吸い込まれるため、冷却効率が低下するという問題がなく、また、冷却風の流通経路外に粉塵が蓄積するという問題もない。
【００１７】
また、弾性部材がクッションとなってトリガスイッチを衝撃から守ることができるため、トリガスイッチの耐久性を向上させることができる。
【００１８】
また、請求項２に記載の発明は上記の通りであり、前記弾性体がスポンジ部材であるため、変形し易く、ハウジング内部の形状が複雑な場合でも容易に変形し、トリガスイッチの外壁とグリップ部のハウジング内壁との間の間隙を有効に埋めることができる。
【００１９】
また、請求項３に記載の発明は上記の通りであり、前記スポンジ部材は前記トリガスイッチの外周部に固定されているため、スポンジ部材を固定したトリガスイッチをハウジング内部に取り付けるだけで冷却風の流通経路を隔離することができる。
【００２０】
また、請求項４に記載の発明は上記の通りであり、前記スポンジ部材によってハウジング内部の電線を前記スイッチ本体に固定したため、電線をスポンジ部材でまとめることができ、組み付け性を向上させることができる。
【図面の簡単な説明】
【００２１】
【図１】回転工具の側面図である。
【図２】回転工具の内部構造を示す側面図である。
【図３】トリガスイッチの斜視図である。
【図４】トリガスイッチの平面図である。
【発明を実施するための形態】
【００２２】
本発明の実施形態について、図を参照しながら説明する。
【００２３】
本実施形態に係る回転工具１０は、モータ１５を搭載したインパクトドライバであり、図１に示すように、筒状の出力部１２と、この出力部１２の下部に出力部１２と略直交する方向に延びるグリップ部１３と、グリップ部１３の下部に設けられた電池パック取付部１４と、を備えている。
【００２４】
出力部１２には、図２に示すように、モータ１５が内蔵されており、このモータ１５の回転軸と同軸上に、冷却ファン１７、スピンドル、打撃機構、アンビルが直列に設けられている。また、モータ１５の下部には、モータ１５を制御するためのモータ基板１８が配置されている。このモータ基板１８は、電線２１等を介して後述するトリガスイッチ３０や操作基板２０、バッテリと接続されている。
【００２５】
アンビルの先端部には出力軸１６が形成されており、図示しないドライバビット（先端工具）が装着可能となっている。この出力軸１６にドライバビットを取り付けた状態でモータ１５を回転させると、モータ１５の駆動力によりドライバビットが回転し、ネジ締めができるように形成されている。
【００２６】
冷却ファン１７は、出力部１２の最後部に配置されており、モータ１５が回転したときに同時に回転する。これにより、ハウジング１１の側部に設けられた吸気孔２２（図１参照）から外部の空気を吸い込み、吸い込んだ空気をハウジング１１の側部に設けられた排気孔２３（図１参照）から外部へと排出する。
【００２７】
なお、吸気孔２２はモータ基板１８の側部に設けられており、排気孔２３は冷却ファン１７の側部に設けられている。これにより、冷却ファン１７によって吸い込まれた冷却風は、モータ基板１８付近からモータ１５の内部を経由して外部へと排気され、モータ基板１８とモータ１５のコイルとを効率的に冷却するように形成されている。
【００２８】
この出力部１２の下部に設けられたグリップ部１３は、回転工具１０を把持するための部位である。このグリップ部１３の出力部１２との境目付近には、図１に示すように、前方にトリガスイッチ３０が配置されている。
【００２９】
このトリガスイッチ３０は、モータ１５を作動させるためのものであり、図２に示すように、スイッチの接点を収容した箱状のスイッチ本体３１と、このスイッチ本体３１に対して押し込み操作可能なトリガ部３２と、を備えている。このトリガスイッチ３０は、グリップ部１３の内部に収容されているものの、トリガ部３２がハウジング１１の外部に突出しており、操作可能となっている。このトリガ部３２を引き操作することで、モータ１５が回転を始め、回転工具１０が作動を開始するようになっている。このトリガ部３２は、グリップ部１３を握ったときにちょうど人差し指がかかる位置に配設されている。
【００３０】
上記したグリップ部１３の更に下部に設けられた電池パック取付部１４は、図示しない電池パックを下面に着脱させる部位である。この電池パック取付部１４の上面側には、図２に示すように、操作パネル１９が設けられている。この操作パネル１９には、回転モードを変更するためのモード設定ボタンなどが設けられている。
【００３１】
この操作パネル１９の裏側に位置する電池パック取付部１４の内部には、操作パネル１９の各ボタンやランプが接続された操作基板２０が内蔵されている。
【００３２】
ところで、図２に示すように、トリガスイッチ３０とハウジング１１との間Ｓ１や、操作パネル１９とハウジング１１との間Ｓ２には、わずかな隙間が存在している。また、出力部１２とグリップ部１３及び電池パック取付部１４とはハウジング１１の内部で連通しているため、従来の回転工具においては、冷却ファン１７が回転したときにこれらの隙間Ｓ１、Ｓ２から空気が吸い込まれてしまうことがあり、冷却効率が低下したり、冷却風の流通経路外に粉塵が蓄積するという問題があった。
【００３３】
本実施形態においては、この問題を解決するために、スイッチ本体３１の外壁面３１ａとグリップ部１３のハウジング内壁面１１ａとの間に弾性部材の一例であるスポンジシール３３（スポンジ部材）を設けている。本実施形態においては、止水性と変形し易さを両立させるために、半連続半独立発泡のスポンジシール３３を使用している。
【００３４】
このスポンジシール３３は、裏面に接着部が設けられており、図３及び図４に示すように、スイッチ本体３１の一側部から後部を回って他側部まで途切れることなく連続して巻き付けるように、スイッチ本体３１の外周部に接着固定されている。このように予めスポンジシール３３が接着されているため、スポンジシール３３を接着したトリガスイッチ３０をハウジング１１内部に取り付けるだけで冷却風の流通経路を連続して巻き付けたスポンジシール３３で隔離することができる。
【００３５】
このようにスポンジシール３３を接着したトリガスイッチ３０をハウジング１１内部に装着すると、ハウジング１１の内部形状に合わせてスポンジシール３３が変形し、スイッチ本体３１の外壁面３１ａとグリップ部１３のハウジング内壁面１１ａとの間の間隙を埋めるようになっている。
【００３６】
また、このスポンジシール３３は、ハウジング１１内部の電線２１をスイッチ本体３１に固定する役割も果たしている。すなわち、電線２１をトリガスイッチ３０の外壁面３１ａに押しあてた状態でスポンジシール３３を巻きつけることにより、図２に示すように、電線２１がスイッチ本体３１に固定されている（なお、図３及び図４においては便宜上電線２１を表示していない）。
【００３７】
スポンジシール３３で固定する電線２１は、例えば、モータ基板１８とトリガスイッチ３０とを接続する電線、モータ基板１８と操作基板２０とを接続する電線、モータ基板１８とバッテリとを接続する電線、などである。
【００３８】
このようにスポンジシール３３によってハウジング１１内部の電線２１をスイッチ本体３１に固定することで、電線２１をスポンジシール３３でまとめることができ、組み付け性を向上させることができる。
【００３９】
上記したように、本実施形態によれば、トリガスイッチ３０の外壁面３１ａとグリップ部１３のハウジング内壁面１１ａとの間に弾性部材３３を設けたので、この弾性部材３３によってハウジング１１の内部に出力部１２とグリップ部１３との間に隔壁が形成されている。このように隔壁が形成されていることによって、出力部１２側の冷却ファン１７が回転したときにグリップ部１３側から空気が吸い込まれず、吸気孔２２から正しく空気が吸い込まれるため、冷却効率が低下するという問題がなく、また、冷却風の流通経路外に粉塵が蓄積するという問題もない。
【００４０】
また、弾性部材３３がクッションとなってトリガスイッチ３０を衝撃から守ることができるため、トリガスイッチ３０の耐久性を向上させることができる。
【００４１】
なお、上記した実施形態においてはトリガスイッチ３０にスポンジシール３３を貼り付けることとしたが、ハウジング１１の内壁面１１ａにスポンジシール３３を貼り付けてもよいし、トリガスイッチ３０の外壁面３１ａとグリップ部１３のハウジング内壁面１１ａとの間に弾性部材３３を差し込むようにしてもよい。
【００４２】
また、上記した実施形態においては弾性部材としてスポンジ部材を用いたが、これに限らず、弾性部材としてシリコンゴムやゲル状充填材などを使用してもよい。
【符号の説明】
【００４３】
１０  回転工具
１１  ハウジング
１１ａ  内壁面
１２  出力部
１３  グリップ部
１４  電池パック取付部
１５  モータ
１６  出力軸
１７  冷却ファン
１８  モータ基板
１９  操作パネル
２０  操作基板
２１  電線
２２  吸気孔
２３  排気孔
３０  トリガスイッチ
３１  スイッチ本体
３１ａ  外壁面
３２  トリガ部
３３  スポンジシール（弾性部材）
【図１】
2013094911.tif 000003
【図２】
2013094911.tif 000004
【図３】
2013094911.tif 000005
【図４】
2013094911.tif 000006